(57)【要約】【課題】ユーザが体感する復帰待ち時間を従来技術より短縮する。【解決手段】制御システムは、複数の機能部を制御する制御部を有する制御デバイスの前記制御部を制御する制御手段と、前記制御手段に近い位置に存在するユーザからの省エネモードからの復帰の第１の指示と、前記近い位置よりも遠い位置に存在するユーザからの前記復帰の第２の指示とを受付可能であり、前記第１の指示を受け付けた場合と前記第２の指示を受け付けた場合とで、前記制御部の復帰のタイミングを変更する復帰手段と、を備える。【選択図】図１
2020168776.tif 000002
【特許請求の範囲】
【請求項１】
複数の機能部を制御する制御部を有する制御デバイスの前記制御部を制御する制御手段と、
前記制御手段に近い位置に存在するユーザからの省エネモードからの復帰の第１の指示と、前記近い位置よりも遠い位置に存在するユーザからの前記復帰の第２の指示とを受付可能であり、前記第１の指示を受け付けた場合と前記第２の指示を受け付けた場合とで、前記制御部の復帰のタイミングを変更する復帰手段と、
を備える制御システム。
【請求項２】
前記第１の指示を受け付けた場合の前記制御部の復帰のタイミングは、前記第２の指示を受け付けた場合の前記制御部の復帰のタイミングより早い、
請求項１に記載の制御システム。
【請求項３】
前記復帰手段は、
前記第１の指示を受け付けた場合、前記制御部と前記制御手段とを復帰させ、
前記第２の指示を受け付けた場合、前記制御手段を復帰させる、
請求項１又は請求項２に記載の制御システム。
【請求項４】
前記第２の指示には、前記複数の機能部の少なくとも１つを稼働させる稼働指示と、前記機能部を稼働させずに所定の処理の実行を指示する処理指示と、を含むことが可能であり、
前記制御手段は、
前記復帰の後、前記第２の指示に、前記稼働指示又は前記処理指示が含まれているかを判断し、
前記第２の指示に前記稼働指示が含まれていると判断した場合、前記制御部の復帰を指示し、
前記第２の指示に前記処理指示が含まれていると判断した場合には、前記制御部の復帰を指示せずに、前記所定の処理を実行する、
請求項３に記載の制御システム。
【請求項５】
前記第１の指示は、前記制御システムに接続され且つユーザにより操作される指示部により行われ、
前記第２の指示は、前記復帰を指示する指示データを前記制御システムに送信することにより行われる、
請求項１から請求項４の何れか１項に記載の制御システム。
【請求項６】
前記制御デバイスは、前記制御部を復帰させる第１の復帰プログラムを記憶する第１の記憶部を備え、
前記制御システムは、前記制御手段を復帰させる第２の復帰プログラムを記憶する第２の記憶部を備え、
前記制御部は、前記第１の記憶部に記憶されている前記第１の復帰プログラムに従って、復帰処理を実行し
前記制御手段は、前記第２の記憶部に記憶されている前記第２の復帰プログラムに従って、復帰処理を実行する、
請求項１から請求項５の何れか１項に記載の制御システム。
【請求項７】
ユーザの存在を検出する検出手段により、前記第１の指示を受け付ける前に、前記ユーザの存在が検出された場合、前記復帰手段は、前記制御部と前記制御手段とを復帰させる、
請求項１から請求項６の何れか１項に記載の制御システム。
【請求項８】
前記検出手段により、前記第１の指示を受け付ける前に、前記ユーザの存在が検出された場合、前記復帰手段は、前記制御手段を復帰させた後、前記制御部を復帰させる、
請求項７に記載の制御システム。
【請求項９】
複数の機能部を制御する制御部を有する制御デバイスの前記制御部を制御する制御手段と、
前記複数の機能部の少なくとも１つについての省エネモードからの復帰の第１の指示と、前記機能部を稼働させずに所定の処理の実行の第２の指示とを受付可能であり、前記第１の指示を受け付けた場合と前記第２の指示を受け付けた場合とで、前記制御部の復帰のタイミングを変更する復帰手段と、
を備える制御システム。
【請求項１０】
前記第１の指示を受け付けた場合の前記制御部の復帰のタイミングは、前記第２の指示を受け付けた場合の前記制御部の復帰のタイミングより早い、
請求項９に記載の制御システム。
【請求項１１】
前記復帰手段は、
前記第１の指示を受け付けた場合、前記制御部と前記制御手段とを復帰させ、
前記第２の指示を受け付けた場合、前記制御手段を復帰させる、
請求項９又は請求項１０に記載の制御システム。
【発明の詳細な説明】
【技術分野】
【０００１】
本発明は、制御システムに関する。
【背景技術】
【０００２】
特許文献１には、メイン基板と、メイン基板と通信可能に接続されるサブ基板とを備える情報処理装置であって、前記メイン基板は、前記サブ基板を動作させるための動作プログラムを、前記サブ基板が有する一時記憶手段に転送する転送手段と、前記サブ基板に対して前記動作プログラムの実行開始を指示する指示手段と、を有し、前記サブ基板は、前記実行開始の指示を受け付けると、前記転送手段によって前記一時記憶手段に格納された前記動作プログラムに従って、前記サブ基板の起動処理を実行する起動手段を有し、前記転送手段は、前記動作プログラムの実行開始が指示される前に、自装置が起動した要因を示す要因情報を前記一時記憶手段に転送し、前記起動手段は、前記要因情報に応じた起動処理を実行することを特徴とする情報処理装置が開示されている。
【先行技術文献】
【特許文献】
【０００３】
【特許文献１】特開２０１８−１４４３３１号公報
【発明の概要】
【発明が解決しようとする課題】
【０００４】
本開示の技術は、ユーザが体感する復帰待ち時間を従来技術より短縮することの可能な制御システムを提供することを目的とする。
【課題を解決するための手段】
【０００５】
第１態様の制御システムは、複数の機能部を制御する制御部を有する制御デバイスの前記制御部を制御する制御手段と、前記制御手段に近い位置に存在するユーザからの省エネモードからの復帰の第１の指示と、前記近い位置よりも遠い位置に存在するユーザからの前記復帰の第２の指示とを受付可能であり、前記第１の指示を受け付けた場合と前記第２の指示を受け付けた場合とで、前記制御部の復帰のタイミングを変更する復帰手段と、を備える。
【０００６】
第２態様の制御システムは、第１態様において、前記第１の指示を受け付けた場合の前記制御部の復帰のタイミングは、前記第２の指示を受け付けた場合の前記制御部の復帰のタイミングより早い。
【０００７】
第３態様の制御システムは、第１態様又は第２態様において、前記復帰手段は、前記第１の指示を受け付けた場合、前記制御部と前記制御手段とを復帰させ、前記第２の指示を受け付けた場合、前記制御手段を復帰させる。
【０００８】
第４態様の制御システムは、第３態様において、前記第２の指示には、前記複数の機能部の少なくとも１つを稼働させる稼働指示と、前記機能部を稼働させずに所定の処理の実行を指示する処理指示と、を含むことが可能であり、前記制御手段は、前記復帰の後、前記第２の指示に、前記稼働指示又は前記処理指示が含まれているかを判断し、前記第２の指示に前記稼働指示が含まれていると判断した場合、前記制御部の復帰を指示し、前記第２の指示に前記処理指示が含まれていると判断した場合には、前記制御部の復帰を指示せずに、前記所定の処理を実行する。
【０００９】
第５態様の制御システムは、第１態様から第４態様の何れかにおいて、前記第１の指示は、前記制御システムに接続され且つユーザにより操作される指示部により行われ、前記第２の指示は、前記復帰を指示する指示データを前記制御システムに送信することにより行われる。
【００１０】
第６態様の制御システムは、第１態様から第５態様の何れかにおいて、前記制御デバイスは、前記制御部を復帰させる第１の復帰プログラムを記憶する第１の記憶部を備え、前記制御システムは、前記制御手段を復帰させる第２の復帰プログラムを記憶する第２の記憶部を備え、前記制御部は、前記第１の記憶部に記憶されている前記第１の復帰プログラムに従って、復帰処理を実行し、前記制御手段は、前記第２の記憶部に記憶されている前記第２の復帰プログラムに従って、復帰処理を実行する。
【００１１】
第７態様の制御システムは、第１態様から第６態様の何れかにおいて、ユーザの存在を検出する検出手段により、前記第１の指示を受け付ける前に、前記ユーザの存在が検出された場合、前記復帰手段は、前記制御部と前記制御手段とを復帰させる。
【００１２】
第８態様の制御システムは、第７態様において、前記検出手段により、前記第１の指示を受け付ける前に、前記ユーザの存在が検出された場合、前記復帰手段は、前記制御手段を復帰させた後、前記制御部を復帰させる。
【００１３】
第９態様の制御システムは、複数の機能部を制御する制御部を有する制御デバイスの前記制御部を制御する制御手段と、前記複数の機能部の少なくとも１つについての省エネモードからの復帰の第１の指示と、前記機能部を稼働させずに所定の処理の実行の第２の指示とを受付可能であり、前記第１の指示を受け付けた場合と前記第２の指示を受け付けた場合とで、前記制御部の復帰のタイミングを変更する復帰手段と、を備える。
【００１４】
第１０態様の制御システムは、第９態様において、前記第１の指示を受け付けた場合の前記制御部の復帰のタイミングは、前記第２の指示を受け付けた場合の前記制御部の復帰のタイミングより早い。
【００１５】
第１１態様の制御システムは、第９態様又は第１０態様において、前記復帰手段は、前記第１の指示を受け付けた場合、前記制御部と前記制御手段とを復帰させ、前記第２の指示を受け付けた場合、前記制御手段を復帰させる。
【発明の効果】
【００１６】
第１態様の制御システムは、ユーザが体感する復帰待ち時間を従来技術より短縮する
ことができる。
【００１７】
第２態様の制御システムは、ユーザが体感する復帰待ち時間を従来技術より更により短縮することができる。
【００１８】
第３態様の制御システムは、電力消費をより少なくすることができる。
【００１９】
第４態様の制御システムは、電力消費をより従来技術より少なくすることができる。
【００２０】
第５態様の制御システムは、ユーザが体感する復帰待ち時間を従来技術より更に短縮することができる。
【００２１】
第６態様の制御システムは、制御システムに第２の復帰プログラムを送信することを不要にすることができる。
【００２２】
第７態様の制御システムは、電力消費をより従来技術より少なくすることができる。
【００２３】
第８態様の制御システムは、電力消費をより従来技術より更により少なくすることができる。
【００２４】
第９態様の制御システムは、ユーザが体感する復帰待ち時間を従来技術より短縮する
ことができる。
【００２５】
第１０態様の制御システムは、ユーザが体感する復帰待ち時間を従来技術より更により短縮することができる。
【図面の簡単な説明】
【００２６】
【図１】第１の実施の形態の多機能プリンタＭＦＰのブロック図である。
【図２】復帰要求検知／電源制御回路１１０に復帰要求１信号が出力された場合の復帰処理におけるタイミングチャートである。
【図３】復帰要求検知／電源制御回路１１０に復帰要求２信号が出力された場合の復帰処理におけるタイミングチャートである。
【図４】第２の実施の形態の多機能プリンタＭＦＰのブロック図である。
【図５】復帰要求検知／電源制御回路１１０に復帰要求２−１信号が出力された場合の復帰処理におけるタイミングチャートである。
【図６】復帰要求検知／電源制御回路１１０に復帰要求２−２信号が出力された場合の復帰処理におけるタイミングチャートである。
【発明を実施するための形態】
【００２７】
以下、図面を参照して、本発明を実施するための形態例を詳細に説明する。
【００２８】
（第１実施形態）
【００２９】
図１には、第１の実施の形態の多機能プリンタ（以下、「ＭＦＰ」（Ｍｕｌｔｉｆｕｎｃｔｉｏｎ  Ｐｒｉｎｔｅｒ）という）のブロック図が示されている。図１に示すように、ＭＦＰは、制御システム１００と、制御デバイス２００と、を備えている。制御デバイス２００は、複数の機能、例えば、スキャナ装置１６、プリンタ装置１８、及び操作パネル２０と接続している。制御デバイス２００は、スキャナ装置１６、プリンタ装置１８、及び操作パネル２０を制御するデバイス制御ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ：特定用途向け集積回路）２０２を備えている。制御デバイス２００は、デバイス制御ＡＳＩＣ２０２が実行する復帰プログラムを記憶する復帰プログラムＲＯＭ（Ｒｅａｄ  Ｏｎｌｙ  Ｍｅｍｏｒｙ）２０４、及びデバイス制御ＡＳＩＣ２０２のメモリ領域を有するページメモリＲＡＭ（Ｒａｎｄｏｍ  Ａｃｃｅｓｓ  Ｍｅｍｏｒｙ）２０６を備えている。制御デバイス２００は、デバイス制御ＡＳＩＣ２０２、復帰プログラムＲＯＭ２０４、及びページメモリＲＡＭ２０６に電源を供給する電源供給回路３＿２０８を備えている。
【００３０】
制御システム１００は、デバイス制御ＡＳＩＣ２０２にＰＣＩｅ（ＰＣＩ  Ｅｘｐｒｅｓｓ：ピーシーアイエクスプレス）を介して接続され、デバイス制御ＡＳＩＣ２０２を制御するシステム制御ＡＳＳＰ（Ａｐｐｌｉｃａｔｉｏｎ  Ｓｐｅｃｉｆｉｃ  Ｓｔａｎｄａｒｄ  Ｐｒｏｄｕｃｔ）１０２を備えている。制御システム１００は、デバイス制御ＡＳＩＣ２０２のメモリ領域を有するシステムメモリＲＡＭ１０６、及びデバイス制御ＡＳＳＰ１０２のプログラム及びデバイス制御ＡＳＩＣ２０２のプログラムを記憶するメインプログラム１０４を備えている。制御システム１００は、システム制御ＡＳＳＰ１０２、システムメモリＲＡＭ１０６、及びメインプログラム１０４に電源を供給する電源供給回路２＿１０８を備えている。制御デバイス２００は、システム制御ＡＳＳＰ１０２、電源供給回路３＿２０８、及び電源供給回路２＿１０８に接続された復帰要求検知／電源制御回路１１０を備えている。復帰要求検知／電源制御回路１１０には、省エネ制御Ｉ／Ｏ  ＡＳＩＣ１１２を介してＰＣ１２と、節電ボタン１４が接続されている。省エネ制御Ｉ／Ｏ  ＡＳＩＣ１１２とシステム制御ＡＳＳＰ１０２とは、ＰＣＩｅにより接続されている。
【００３１】
次に、第１の実施の形態の作用を説明する。
【００３２】
ＭＦＰは節電モードになっている。具体的には、システム制御ＡＳＳＰ１０２、スキャナ装置１６、プリンタ装置１８、操作パネル２０、及びデバイス制御ＡＳＩＣ２０２には、電源が供給されていない。
【００３３】
節電モードから復帰させる要求には、ＭＦＰに近い位置（近接位置）に存在するユーザが節電ボタン１４を操作することによって第１の指示をすることと、当該近い位置よりも遠い位置（遠隔位置）に存在するユーザがＰＣ１２を介して第２の指示をすることとがある。なお、第２の指示は、ＰＣ１２がＭＦＰにプリントジョブ又は設定情報送信要求ジョブを送信することにより行われる。
【００３４】
ユーザが節電ボタン１４を操作すると、節電モードから復帰させる要求を表す復帰要求２信号が復帰要求検知／電源制御回路１１０に出力される。
【００３５】
ＭＦＰにプリントジョブ又は設定情報送信要求ジョブは、ＰＣ１２によりＭＦＰに送信されと、省エネ制御Ｉ／Ｏ  ＡＳＩＣ１１２に受信され、省エネ制御Ｉ／Ｏ  ＡＳＩＣ１１２から復帰要求１信号が復帰要求検知／電源制御回路１１０に出力される。
【００３６】
復帰要求検知／電源制御回路１１０に、復帰要求１信号が出力された場合と、復帰要求２信号が出力された場合とで、次のように異なる復帰処理が行われる。
【００３７】
最初に、図２を参照して、復帰要求検知／電源制御回路１１０に復帰要求１信号が出力された場合の復帰処理を説明する。
【００３８】
プリントジョブ又は設定情報送信要求が、ネットワーク（例えばＥｔｈｅｒｎｅｔ（登録商標））（又はＵＳＢ又はＷｉ−Ｆｉ）経由で、ＰＣ１２から送信される（時刻Ｔ１）。省エネ制御Ｉ／Ｏ  ＡＳＩＣ１１２は、復帰要求１信号を復帰要求検知／電源制御回路１１０に出力する（時刻Ｔ２）。復帰要求検知／電源制御回路１１０は、復帰要求１信号を検知する。復帰要求検知／電源制御回路１１０は、復帰要求１信号を検知すると、電源制御２信号を電源供給回路２＿１０８に出力する（時刻Ｔ３）。電源供給回路２＿１０８は、電源を、メインプログラムＲＯＭ１０４とシステム制御ＡＳＳＰ１０２とに供給する（時刻Ｔ４）。電源供給を受けたシステム制御ＡＳＳＰ１０２はメインプログラムＲＯＭ１０４からメインプログラムをシステムメモリＲＡＭ１０６に展開し、メインプログラムに従って復帰処理を実行する（時刻Ｔ５）。
【００３９】
システム制御ＡＳＳＰ１０２は、復帰要求検知／電源制御回路１１０に問い合わせを行うことにより、省エネ制御Ｉ／Ｏ  ＡＳＩＣ１１２が受信したジョブがデバイス制御ＡＳＩＣ２０２を復帰させる必要があるジョブか否かを判断する（時刻Ｔ６）。
ＰＣ１２から送信されたジョブがプリントジョブである場合には、デバイス制御ＡＳＩＣ２０２を復帰させる必要があるジョブであると判断される。ＰＣ１２から送信されたジョブが設定情報送信要求ジョブであると判断された場合には、デバイス制御ＡＳＩＣ２０２を復帰させる必要がないジョブであると判断される。
【００４０】
ＰＣ１２から送信されたジョブがプリントジョブであると判断した場合は、システム制御ＡＳＳＰ１０２は、復帰要求検知／電源制御回路１１０に、電源制御３信号を出力することにより電源供給回路３をオンするように要求する（時刻Ｔ７Ａ）。電源供給回路３をオンする要求を受け取った復帰要求検知／電源制御回路１１０は、電源制御３信号を電源供給回路３＿２０８に出力する（時刻Ｔ８Ａ）。電源供給回路３＿２０８は、電源を、ページメモリＲＡＭ２０６、復帰プログラムＲＯＭ２０４、及びデバイス制御ＡＳＩＣ２０２に供給する（時刻Ｔ９）。電源供給を受けたデバイス制御ＡＳＩＣ２０２は復帰プログラムＲＯＭ２０４から復帰プログラムをページメモリＲＡＭ２０６に展開し、復帰プログラムに従って復帰処理を実行する（時刻Ｔ１０）。この場合、デバイス制御ＡＳＩＣ２０２は、システム制御ＡＳＳＰ１０２と共に、ＰＣＩｅを初期化し、リンクトレーニングを行って、通信可能にする。
デバイス制御ＡＳＩＣ２０２は更に、プリンタ装置１８に、図示しない電源供給回路を介して電源を供給し、プリントジョブを実行するように指示する（時刻Ｔ１１）。
このように、ＰＣ１２から送信されたジョブがプリントジョブである場合には、プリンタ装置１８を駆動させるため、デバイス制御ＡＳＩＣ２０２を節電モードから復帰させる。
【００４１】
これに対し、ＰＣ１２から送信されたジョブが設定情報送信要求ジョブであると判断された場合、システム制御ＡＳＳＰ１０２側の例えばシステムメモリＲＡＭ１０６に格納された設定情報を、省エネ制御Ｉ／Ｏ  ＡＳＩＣ１１２を介して、ＰＣ１２に送信する（時刻Ｔ７Ｂ、時刻Ｔ８Ｂ）。この場合には、デバイス制御ＡＳＩＣ２０２側を復帰させる必要はない。よって、システム制御ＡＳＳＰ１０２は、電源供給回路３＿２０８をオンするように、復帰要求検知／電源制御回路１１０に要求しない。
このように、ＰＣ１２から送信されたジョブが設定情報送信要求ジョブであると判断された場合には、デバイス制御ＡＳＩＣ２０２及びプリンタ装置１８に電源を供給しない。よって、消費電力を、従来技術より、少なくする。
【００４２】
次に、図３を参照して、復帰要求検知／電源制御回路１１０に復帰要求２信号が出力された場合の復帰処理を説明する。
【００４３】
ＭＦＰに近い位置（近接位置）に存在するユーザが節電ボタン１４を操作する。節電ボタン１４は、復帰要求２信号を、復帰要求検知／電源制御回路１１０に出力する（時刻Ｔ２２）。復帰要求２信号が出力された復帰要求検知／電源制御回路１１０は、システム制御ＡＳＳＰ１０２による判断及び指示を待たずに、電源制御３信号を、電源供給回路３＿２０８に出力すると共に、電源制御２信号を、電源供給回路２＿１０８に出力する（時刻Ｔ２３）。
【００４４】
電源供給回路２＿１０８は、電源を、メインプログラムＲＯＭ１０４とシステム制御ＡＳＳＰ１０２とに供給する（時刻Ｔ２４Ａ）。電源供給を受けたシステム制御ＡＳＳＰ１０２はメインプログラムＲＯＭ１０４からメインプログラムをシステムメモリＲＡＭ１０６に展開し、メインプログラムに従って復帰処理を実行する（時刻Ｔ２５Ａ）。
【００４５】
電源供給回路３＿２０８は、電源を、ページメモリＲＡＭ２０６、復帰プログラムＲＯＭ２０４、及びデバイス制御ＡＳＩＣ２０２に供給する（時刻Ｔ２４Ｂ）。電源供給を受けたデバイス制御ＡＳＩＣ２０２は復帰プログラムＲＯＭ２０４から復帰プログラムをページメモリＲＡＭ２０６に展開し、復帰プログラムに従って復帰処理を実行する（時刻Ｔ２５Ｂ）。
【００４６】
システム制御ＡＳＳＰ１０２による復帰処理（時刻Ｔ２５Ａ）と、デバイス制御ＡＳＩＣ２０２による復帰処理（時刻Ｔ２５Ｂ）とにより、システム制御ＡＳＳＰ１０２とデバイス制御ＡＳＩＣ２０２との間のＰＣＩｅを初期化し、リンクトレーニングを行って、通信可能にする。
【００４７】
デバイス制御ＡＳＩＣ２０２は更に、操作パネル２０に、図示しない電源供給回路を介して電源を供給し、操作パネル２０にジョブ選択画面を表示し（時刻Ｔ２６）、ユーザにジョブの選択を促す。ユーザが例えばコピージョブを選択した場合は、スキャナ装置１６及びプリンタ装置１８に、図示しない電源供給回路から電源を供給、原稿をスキャンし、印刷する。
【００４８】
プリントジョブの復帰要求１信号が出力された場合には、システム制御ＡＳＳＰ１０２を復帰させた後に、デバイス制御ＡＳＩＣ２０２を復帰させている。これに対し、復帰要求２信号が出力された場合には、システム制御ＡＳＳＰ１０２とデバイス制御ＡＳＩＣ２０２とを同時に復帰させている。これは、どちらの場合もデバイス制御ＡＳＩＣ２０２を復帰させる必要があるが、復帰要求２信号が出力される場合は、ユーザは既にＭＦＰの近くに存在するので、システム制御ＡＳＳＰ１０２とデバイス制御ＡＳＩＣ２０２とを同時に復帰させなければ、ユーザは、復帰待ち時間が長いと感じる。これに対し、プリントジョブの復帰要求１信号が出力された場合には、ユーザは、遠隔位置からＭＦＰに移動するので、移動時間が必要となり、システム制御ＡＳＳＰ１０２を復帰させた後に、デバイス制御ＡＳＩＣ２０２を復帰させてもユーザは、復帰待ち時間が長いと感じない。
【００４９】
第１の実施の形態では、近接位置からの復帰の指示があった場合と、遠隔位置からの復帰の指示があった場合とで、ＭＦＰの各機能の復帰時間のタイミングを変更する。
システム制御ＡＳＳＰ１０４は、ＰＣ１２から送信されたジョブがプリントジョブである場合には、デバイス制御ＡＳＩＣ２０２を復帰させる必要があるジョブであると判断して、デバイス制御ＡＳＩＣ２０２に電源を供給し、復帰させる。これに対し、システム制御ＡＳＳＰ１０４は、ＰＣ１２から送信されたジョブが設定情報送信要求ジョブであると判断された場合には、デバイス制御ＡＳＩＣ２０２を復帰させる必要がないと判断して、デバイス制御ＡＳＩＣ２０２に電源を供給しない。よって、デバイス制御ＡＳＩＣ２０２は節電モードのままにされる。
第１の実施の形態では、復帰要求があれば一律、全ての部分を復帰させるわけではなく、復帰要因に応じて必要な部分に電源を供給して復帰させるので、電力増とはならない。電力消費は、より少なくなる。
第１の実施の形態では、近接位置からの復帰の指示があった場合と、遠隔位置からの復帰の指示があった場合とで、ＭＦＰの各機能の復帰時間のタイミングを変更するので、静音性の犠牲が無く、ユーザが体感する復帰待ち時間を短縮する。
【００５０】
（第２の実施の形態）
【００５１】
次に、第２の実施の形態を説明する。第２の実施の形態のＭＦＰの構成は、第１の実施の形態のＭＦＰと同様の部分があるので、同様の部分には同一の符号を付してその説明を省略し、異なる部分を主として説明する。
【００５２】
図４には、第２の実施の形態のＭＦＰのブロック図が示されている。復帰要求検知／電源制御回路１１０には、第１の実施の形態のＭＦＰ（図１参照）では、節電ボタン１４が接続されているのに対し、第２の実施の形態では、図４に示すように、節電ボタン１４Ａと人感センサ１４Ｂとが接続されている点で異なる。第２の実施の形態では、ＭＦＰには、認証カード読取装置２２が接続されている点で異なる。
【００５３】
次に、第２の実施の形態の作用を説明する
【００５４】
ＭＦＰに近い位置（近接位置）に存在するユーザが節電ボタン１４Ａを操作する。人感センサ１４Ｂは、近接位置より遠いが、遠隔位置よりＭＦＰに近い位置で、ユーザの存在を検知する。このように人感センサ１４Ｂは、近接位置より遠いが、遠隔位置よりＭＦＰに近い位置で、ユーザの存在を検知するので、ユーザが、節電ボタン１４Ａを操作しようとＭＦＰに近づくと、最初に、人感センサ１４Ｂが、ＭＦＰに近づくユーザを検知し、その後、節電ボタン１４Ａが操作される。
【００５５】
人感センサ１４Ｂは、ユーザを検知すると、復帰要求２−２信号を、復帰要求検知／電源制御回路１１０に出力する。
【００５６】
節電ボタン１４Ａは、ユーザにより操作されると、復帰要求２−１信号を、復帰要求検知／電源制御回路１１０に出力する。
【００５７】
図５には、復帰要求検知／電源制御回路１１０に復帰要求２−１信号が出力された場合の復帰処理のタイミングチャートが示されている。図５に示し復帰処理は、図３に示す復帰処理と同様の部分があるので、同一の部分の説明を省略し、主として異なる部分を説明する。図３では、時刻Ｔ２２に復帰要求２信号が節電ボタン１４から復帰要求検知／電源制御回路１１０に出力され、図５では、時刻ｔＡに復帰要求２−１信号が節電ボタン１４から復帰要求検知／電源制御回路１１０に出力される。復帰要求２−１信号が節電ボタン１４から復帰要求検知／電源制御回路１１０に出力された後の処理（図５の時刻Ｔ２３から時刻Ｔ２６の部分参照）は、復帰要求２信号が節電ボタン１４から復帰要求検知／電源制御回路１１０に出力された後の処理（図３の時刻Ｔ２３から時刻Ｔ２６の部分参照）と同様である。
【００５８】
図５の処理では、システム制御ＡＳＳＰ１０２は、復帰処理（時刻Ｔ２５Ａ）の後、認証カード読取装置に、図示しない電源供給回路から電源を供給して、起動させる（時刻Ｔ２７）。
【００５９】
図６には、復帰要求検知／電源制御回路１１０に復帰要求２−２信号が出力された場合の復帰処理のタイミングチャートが示されている。図６に示す復帰処理は、図５に示す復帰処理と同様の部分があるので、同一の部分の説明を省略し、主として異なる部分を説明する。
【００６０】
人感センサ１４Ｂがユーザを検知すると、時刻ｔＢで、復帰要求２−２信号を復帰要求検知／電源制御回路１１０に出力する。
【００６１】
上記のように、ユーザが、節電ボタン１４Ａを操作しようとＭＦＰに近づくと、最初に、人感センサ１４Ｂが、ＭＦＰに近づくユーザを検知し、その後、節電ボタン１４Ａが操作される。よって、この場合、人感センサ１４Ｂが復帰要求２−２信号を復帰要求検知／電源制御回路１１０に出力する時刻ｔＢは、操作された節電ボタン１４から復帰要求検知／電源制御回路１１０に復帰要求２−１信号が出力される時刻ｔＡよりも、時間的に前である。
【００６２】
なお、復帰要求２−２信号が人感センサ１４Ｂから復帰要求検知／電源制御回路１１０に出力された後の処理（図６の時刻Ｔ３３から時刻Ｔ３７の部分参照）は、復帰要求２−１信号が節電ボタン１４から復帰要求検知／電源制御回路１１０に出力された後の処理（図５の時刻Ｔ２３から時刻Ｔ２７の部分参照）と同様である。
【００６３】
第１の実施の形態において、ＭＦＰに上記認証カード読取装置が接続され、節電ボタン１４の押下により復帰要求２の信号を出力させ、前述した処理（図３の時刻Ｔ２３から時刻Ｔ２６の部分参照）を経て、認証カード読取装置を起動させる場合を考える。この場合、節電ボタン１４の押下から認証カード読取装置の起動までの一連の動作までに時間がかかり、ユーザは認証完了まで待たされるという不便がある。
【００６４】
これに対し、第２の実施の形態では、人感センサ１４Ｂが、ユーザがＭＦＰに近づくことを予め検知し（時刻ｔＡよりも前の時刻ｔＢ）、復帰要求２−２信号を出力させ、復帰要求２−２信号の出力から認証カード読取装置の起動までの一連の動作を実行するようにしている。よって、認証カード読取までの時間、ユーザを待たせない。
【００６５】
ところで、復帰要求２−２信号を検知したタイミングで同時に電源供給回路３に電源制御３信号を出力する必要はない。デバイス制御ＡＳＩＣ２０２は復帰プログラムＲＯＭ２０４から復帰プログラムをロード、復帰処理を実行、ページメモリＲＡＭの開通とＰＣＩｅのリンクトレーニング開始まで実行の一連の時間を勘案した所定のタイミングで電源供給回路３に電源制御３信号を出力するようにしてもよい。つまり、復帰要求２−２信号が検知された場合には、電源供給回路３に電源制御３信号を出力するタイミングを、電源供給回路２に電源制御２信号を出力するタイミングより上記一連の時間、遅らせることで、不要な電力消費を抑制する。
【００６６】
その他、本実施の形態で説明したＭＦＰの構成（図１、４）は一例であり、本発明の主旨を逸脱しない範囲内において不要な部分を削除したり、新たな部分を追加したりしてもよいことは言うまでもない。
【００６７】
また、上記本実施の形態で説明した処理の流れ（図２、図３、図５、図６参照）も一例であり、本発明の主旨を逸脱しない範囲内において不要なステップを削除したり、新たなステップを追加したり、処理順序を入れ替えたりしてもよいことは言うまでもない。
【符号の説明】
【００６８】
２００  制御デバイス
１６  スキャナ装置
１８  プリンタ装置
２０  操作パネル
２０２  デバイス制御ＡＳＩＣ
２０４  復帰プログラムＲＯＭ
２０６  ページメモリＲＡＭ
２０８  電源供給回路３
１００  制御システム
１０２  システム制御ＡＳＳＰ
１０４  メインプログラムＲＯＭ
１０６  システムメモリＲＡＭ
１０８  電源供給回路２
１１０  復帰要求検知／電源制御回路
１１２  省エネ制御Ｉ／Ｏ  ＡＳＩＣ
１２  ＰＣ
１４、１４Ａ  節電ボタン
１４Ｂ  人感センサ
【図１】
2020168776.tif 000003
【図２】
2020168776.tif 000004
【図３】
2020168776.tif 000005
【図４】
2020168776.tif 000006
【図５】
2020168776.tif 000007
【図６】
2020168776.tif 000008